(57)【特許請求の範囲】
【請求項１】
雄端子をそれぞれ装着された上段及び下段コネクタハウジングを、前記雄端子を同方向に向けて重ねて互いに結合してなる合体コネクタにおいて、
両コネクタハウジングの係合部に、上段コネクタハウジングを下段コネクタハウジングの前記雄端子の延在方向に沿ってスライドして嵌合動作するためのアリ溝と、該アリ溝に嵌合する凸条を形成し、上段コネクタハウジングを下段コネクタハウジングの前記雄端子の延在方向に沿ってスライドして係合させる突起と孔を前記両コネクタハウジングの後端部に配設したことを特徴とする合体コネクタ。
【請求項２】
前記アリ溝と前記凸条を前記両コネクタハウジングの前端部に形成したことを特徴とする請求項１に記載の合体コネクタ。
【発明の詳細な説明】
【０００１】
【発明の属する技術分野】
本発明は、雄端子をそれぞれ装着された上段及び下段コネクタハウジングを、前記雄端子を同方向に向けて重ねて互いに結合してなる合体コネクタに関するもので、詳しくは、コネクタハウジングの結合構造に関するものである。
【０００２】
【従来の技術】
コネクタには、実装密度を高めるために、複数のコネクタハウジングを重ねて、互いに結合してなる合体コネクタがある。
【０００３】
図４は、そのような合体コネクタを示している。この合体コネクタ２０は、多数の雄端子２１を並設した上段コネクタハウジング（以下、上段ハウジングという）２２と、多数の雄端子２３を並設した下段コネクタハウジング（以下、下段ハウジングという）２４と、カバー２５とによって構成されている。
【０００４】
上段ハウジング２２の両側壁前端内面には爪２６が形成され、両側壁後端外面に突起２７が形成されている。また、下段ハウジング２４には両側壁前端外面に前記上段ハウジング２２の爪２６と係合する爪２８が形成され、両側壁後端部に立設した舌片２９に前記上段ハウジング２２の突起２７に係合する孔３０が形成されている。更にこの舌片２９には、前記孔３０の下方に前記カバー２５を取付けるための孔３１が形成されている。またカバー２５の両側壁後端外面には前記下段ハウジング２４の孔３１に係合するための突起３２が形成されている。
【０００５】
そして、この合体コネクタ２０では、下段ハウジング２４にカバー２５を被せ、該カバー２５の突起３２を下段ハウジング２４の孔３１に嵌合させて、カバー２５を下段ハウジング２４に結合させ、その上に上段ハウジング２２を被せ、該上段ハウジング２２の爪２６を下段ハウジング２４の爪２８に係合させるとともに、上段ハウジング２２の突起２７を下段ハウジング２４の孔３０に嵌合させて、上段ハウジング２２を下段ハウジング２４に結合させる。
【０００６】
【発明が解決しようとする課題】
ところで、上記従来の合体コネクタ２０では、上段ハウジングを下段ハウジングに結合させる際に、図５に示したように、先ず上段ハウジングの先端を下段ハウジングの先端に係合させ、その後、その先端部を支点として、上段ハウジングの後端を下方の回動させて下段ハウジングの後端に係合させる。
【０００７】
したがって、その際に上段ハウジングの雄端子を下段ハウジングの雄端子に接触させる恐れがあり、それによってそれらの雄端子を折り曲げてしまう場合があった。
【０００８】
そこで、上記問題を解決するために、下段ハウジングに対して上段ハウジングを下段ハウジングの雄端子の延在方向に沿ってスライド嵌合させるようにした構成の合体コネクタが考えられる。
【０００９】
この合体コネクタによれば、上段ハウジングを下段ハウジングの雄端子に対して平行な方向から係合させるため、上段ハウジングの雄端子が下段ハウジングの雄端子に干渉する恐れはない。
【００１０】
しかしながら、この合体コネクタを具現化したものでは、上段ハウジングの後端側部に形成した突起を下段ハウジングのこ後端側部の舌片に形成した孔に係合させて、上段ハウジングを下段ハウジングに合体させるため、上段ハウジングの前端が下段ハウジングから分離する恐れがある。
【００１１】
そこで本発明の目的は、上段ハウジングを下段ハウジングに分離することなく強固に結合できる合体コネクタを提供することにある。
【００１２】
【課題を解決するための手段】
本発明の上記目的は、下記構成により達成される。
１）雄端子をそれぞれ装着された上段及び下段コネクタハウジングを、前記雄端子を同方向に向けて重ねて互いに結合してなる合体コネクタにおいて、両コネクタハウジングの係合部に、上段コネクタハウジングを下段コネクタハウジングの前記雄端子の延在方向に沿ってスライドして嵌合動作するためのアリ溝と、該アリ溝に嵌合する凸条を形成し、上段コネクタハウジングを下段コネクタハウジングの前記雄端子の延在方向に沿ってスライドして係合させる突起と孔を前記両コネクタハウジングの後端部に配設したことを特徴とする合体コネクタ。
【００１３】
２）前記アリ溝と前記凸条を前記両コネクタハウジングの前端部に形成したことを特徴とする前記１）に記載の合体コネクタ。
【００１４】
前記１）の合体コネクタによれば、上段コネクタハウジングと下段コネクタハウジングの一方に形成した凸条が他方に形成したアリ溝に嵌合して、両コネクタハウジングを分離することなく、また互いに幅方向にずれることなく合体させて、雄端子の延在方向に沿って容易にスライドさせることができる。そして、両コネクタハウジング後端部の突起と孔によって上段コネクタハウジングを下段コネクタハウジングに容易に係合させることができる。
【００１５】
前記２）の合体コネクタによれば、上段コネクタハウジングを下段コネクタハウジングにスライドさせるだけで、上段コネクタハウジングを下段コネクタハウジングに係合ができので、合体操作が容易であり、しかも、上段コネクタハウジングと下段コネクタハウジングの一方に形成した凸条が他方に形成したアリ溝に嵌合して、両コネクタハウジングを合体されるので、互いに幅方向にずれることなく、しかも分離することなく合体される。
【００１６】
【発明の実施の形態】
以下、本発明に係る合体コネクタの一実施形態を添付図に基づいて説明する。
【００１７】
図１は、本発明に係る合体コネクタの一実施形態を示す分解斜視図であり、図２は図１の要部拡大図である。
【００１８】
この合体コネクタ１は、上記した従来の合体コネクタ２０と同様に、多数の雄端子２を並設した上段コネクタハウジング（以下、上段ハウジングという）３と、多数の雄端子４を並設した下段コネクタハウジング（以下、下段ハウジングという）５と、カバー６とによって構成されている。
【００１９】
そして、上段ハウジング３における下面７の前端部両側には、下方に突出した凸部８が形成されている。また、上段ハウジング３における側壁９の後端外面には突起１０が形成され、該突起１０の後面（図１における右端側の面）１０ａはテーパ面に形成されている。また、この上段ハウジング３には、その下面７の前端部における幅方向３箇所に、前後方向（雄端子２の延在方向）に突出する凸条１１が形成されている。図２に示すように、この凸条１１は、後述する下段ハウジング５に形成されたアリ溝１７に対応した形状を有している。
【００２０】
一方、下段ハウジング５における後部両側には、上方へ向けて舌片１２が立設されている。そして、その舌片１２には前記上段ハウジング３の突起１０に係合する孔１３が形成され、該孔１３の下方に前記カバー６を取付けるための孔１４が形成されている。更に、この下段ハウジング５の上面１５には、前端面１６に臨ませて上記上段ハウジング３の凸条１１に対応する位置に、アリ溝１７が形成されており、両側部には、前記上段ハウジング３の凸部８に対応した切欠き１８が形成されている。
【００２１】
また、カバー６における側壁の後端外面には、前記下段ハウジング５の孔１４に係合するための突起１９が形成され、該突起１９の下面１９ａはテーパ面に形成されている。
なお、その他の部位は、上記した従来の合体コネクタ２０と同様なので、その説明は省略する。
【００２２】
そして、この合体コネクタ１では、上記従来の合体コネクタ２０と同様に、下段ハウジング５にカバー６を被せ、該カバー６の突起１９を上方から下段ハウジング５の孔１４に嵌合させて、カバー６を下段ハウジング５に結合させる。
【００２３】
次いで、図３（ａ）に示したように、上段ハウジング３を下段ハウジング５の上方に位置させ、上段ハウジング３を矢印のように降下させて、下段ハウジング５上に重ね合わせる。
【００２４】
次いで、図３（ｂ）に示したように、上段ハウジング３の下面７を下段ハウジング５の上面１５に当接させながら、上段ハウジング３を矢印で示したように移動させる。
【００２５】
すると、上段ハウジング３の突起１０はそのテーパ面１０ａで舌片１２，１２を押し拡げながら舌片１２，１２間に侵入し、図３（ｃ）に示したように、孔１３に係合して上段ハウジング３を下段ハウジング５に合体させる。
【００２６】
その際、上段ハウジング３の凸部８が下段ハウジング５の切欠き１８に侵入し、下段ハウジング５に対して上段ハウジング３の先端部をその幅方向に位置決めする。したがって、上段ハウジング３の凸条１１は下段ハウジング５のアリ溝１７と合致される。
【００２７】
そこで、上段ハウジング３を下段ハウジング５と合体する方向へ押し込むと、上段ハウジング３の凸条１１が下段ハウジング５のアリ溝１７に嵌合する。その後は、上段ハウジング３をそのまま押し込めば、上段ハウジング３はアリ溝１７によって案内され、突起１０が下段ハウジング５の孔１３に嵌合されることになる。
【００２８】
上記実施形態では、アリ溝１７及び凸条１１を両ハウジング３，５の前端部に形成しているが、アリ溝１７及び凸条１１の位置は、両ハウジング３，５の前端部に限定することなく、中間部であってもよい。
【００２９】
また、上記実施形態では、アリ溝１７及び凸条１１を３箇所に形成しているが、その数は適宜決定すればよい。３箇所であれば、両ハウジング３，５の全幅にわたって配置でき、それによって両ハウジング３，５のほぼ全幅にわたって分離を十分に抑えることができるが、必要に応じて４箇所以上であってもよく、２箇所以下であってもよい。
【００３０】
また、アリ溝１７及び凸条１１の形状は、必ずしもばち形状である必要はなく、凸条１１がアリ溝１７から両ハウジング３，５の係合面に対して直角方向に抜け出さない形状であればよく、本発明では、そのような形状を含めて、アリ溝１７及び凸条１１と称している。
【００３１】
また、上記実施形態では、上段ハウジング３と下段ハウジング５の合体、即ち２段のハウジング３，５を重ね合わせて合体する例を示しているが、３段以上のハウジングの合体に本発明が適用できることは、言うまでもない。
【００３２】
【発明の効果】
請求項１の合体コネクタでは、両コネクタハウジングの係合部に、上段コネクタハウジングを下段コネクタハウジングの雄端子の延在方向に沿ってスライドして嵌合動作するためのアリ溝と、該アリ溝に嵌合する凸条を形成し、上段コネクタハウジングを下段コネクタハウジングの雄端子の延在方向に沿ってスライドして係合させる突起と孔を両コネクタハウジングの後端部に配設している。
【００３３】
したがって、請求項１の合体コネクタによれば、上段コネクタハウジングと下段コネクタハウジングの一方に形成した凸条が他方に形成したアリ溝に嵌合して、両コネクタハウジングを分離することなく、また互いに幅方向にずれることなく確実に合体させて、雄端子の延在方向に沿って容易にスライドさせることができ、両コネクタハウジング後端部の突起と孔によって上段コネクタハウジングを下段コネクタハウジングに容易に係合させることができる。
【００３４】
また、請求項２の合体コネクタでは、請求項１の構成に加えて、前記アリ溝と前記凸条を前記両コネクタハウジングの前端部に形成している。
【００３５】
したがって、請求項２の合体コネクタによれば、上段コネクタハウジングを下段コネクタハウジングにスライドさせるだけで、上段コネクタハウジングを下段コネクタハウジングに係合ができので合体操作が容易であり、しかも、上段コネクタハウジングと下段コネクタハウジングの一方に形成した凸条が他方に形成したアリ溝に嵌合して、両コネクタハウジングを合体されるので、互いに幅方向にずれることなく、しかも分離することなく合体される。
【図面の簡単な説明】
【図１】本発明に係る合体コネクタの一実施形態を示した分解斜視図である。
【図２】図１の要部拡大図である。
【図３】図１に示した合体コネクタの合体手順を示した概念図である。
【図４】従来の合体コネクタを示した分解斜視図である。
【図５】図４に示した合体コネクタの上段コネクタハウジングを下段コネクタハウジングへ組み付ける状態を示した斜視図である。
【符号の説明】
１            合体コネクタ
２            雄端子
３            上段コネクタハウジング
４            雄端子
５            下段コネクタハウジング
６            カバー
７            下面
８            凸部
９            側壁
１０          突起
１０ａ        後面（テーパ面）
１１          凸条
１２          舌片
１３          孔
１４          孔
１５          上面
１６          前面
１７          アリ溝
１８          切欠き
１９          突起
１９ａ        下面（テーパ面）
【図１】
0003681046.tif 000002
【図２】
0003681046.tif 000003
【図３】
0003681046.tif 000004
【図４】
0003681046.tif 000005
【図５】
0003681046.tif 000006